(57)【要約】本発明は、空気処理装置（１）の空気処理ロータ（２）の再生部（１８）のための仕切りデバイス（６）に関する。仕切りデバイス（６）は、第１のカバー面積（４４）を有する少なくとも１つの第１の仕切り部材（３１）と、再生空気流（２２）のための入口開口（４６）及び出口開口（４８）と、再生部（１８）の面積及び形状を調節するために少なくとも１つの第１の仕切り部材（３１）又は少なくとも１つの第１の仕切り部材（３１）の一部を空気処理ロータ（２）の中心軸（８）に対して移動させると共に位置決めする作動部材（２９）と、を備える。本発明は、空気処理装置（１）及び制御デバイス（２５）によって実施される空気処理装置（１）の制御方法にも関する。本発明は、コンピュータプログラム製品及びコンピュータ可読媒体にも関する。【選択図】図２ｂ
2021524801.tif 000002
【特許請求の範囲】
【請求項１】
空気処理装置（１）の空気処理ロータ（２）の再生部（１８）のための仕切りデバイス（６）であって、
第１のカバー面積（４４）を有する少なくとも１つの第１の仕切り部材（３１）と、
再生空気流（２２）のための入口開口（４６）及び出口開口（４８）と、
前記再生部（１８）の面積及び形状を調節するために前記少なくとも１つの第１の仕切り部材（３１）又は前記少なくとも１つの第１の仕切り部材（３１）の一部を前記空気処理ロータ（２）の中心軸（８）に対して移動させると共に位置決めする作動部材（２９）と、
を備える、仕切りデバイス（６）。
【請求項２】
前記作動部材（２９）は、前記少なくとも１つの第１の仕切り部材（３１）を移動させると共に位置決めする電動モータ（２９）を備える、請求項１に記載のデバイス（６）。
【請求項３】
前記第１の仕切り部材（３１）は、前記空気処理ロータ（２）の前記中心軸（８）を中心として折り畳み可能及び／又は回動可能に配置されるように適合される、請求項１又は２に記載のデバイス（６）。
【請求項４】
前記第１の仕切り部材（３１）は、手持ち式の扇子として折り畳み可能に構成されている、請求項３に記載のデバイス（６）。
【請求項５】
少なくとも１つの第２の仕切り部材（３５）は、第２のカバー面積（５４）を有しており、
前記第２のカバー面積（５４）は、前記第１のカバー面積（４４）と合わせて、前記再生部（１８）の前記面積及び形状を調節するように構成されている、請求項１に記載のデバイス（６）。
【請求項６】
前記作動部材（２９）は、前記第１及び第２の仕切り部材（３１，３５）の少なくとも一方を互いに対して移動させると共に位置決めする電動モータ（２９）を備える、請求項５に記載のデバイス（６）。
【請求項７】
前記第１の仕切り部材（３１）及び／又は前記第２の仕切り部材（３５）は、前記空気処理ロータ（２）の前記中心軸（８）を中心として回動可能に配置されるように適合される、請求項５又は６に記載のデバイス（６）。
【請求項８】
前記第１の仕切り部材（３１）は、第１の扇形（５６）の形状を有しており、
前記第２の仕切り部材（３５）は、第２の扇形（５８）の形状を有している、請求項５から７のいずれか一項に記載のデバイス（６）。
【請求項９】
前記第１の仕切り部材（３１）の前記第１の扇形（５６）は、第１の半径を有し、
前記第１の半径は、前記第２の仕切り部材（３５）の前記第２の扇形（５８）の第２の半径よりも小さい、請求項５から８のいずれか一項に記載のデバイス（６）。
【請求項１０】
前記再生空気流（２２）のための前記入口開口及び前記出口開口（４６，４８）は、前記空気処理ロータ（２）の中心軸（８）と実質的に平行になるように適合された法線を有する平面内に配向される、請求項１から９のいずれか一項に記載のデバイス（６）。
【請求項１１】
前記再生空気流（２２）のための前記入口開口及び前記出口開口（４６，４８）は、前記空気処理ロータ（２）の中心軸（８）と実質的に平行になるように適合された平面内に配向される、請求項１から９のいずれか一項に記載のデバイス（６）。
【請求項１２】
前記再生空気流（２２）のための前記入口開口及び前記出口開口（４６，４８）は、前記空気処理ロータ（２）の周囲に対応した曲率を有する、請求項１から９のいずれか一項に記載のデバイス（６）。
【請求項１３】
再生部（１８）を有する空気処理ロータ（２）を備えた空気処理装置（１）であって、
請求項１から１２のいずれか一項に記載の仕切りデバイス（６）を更に備える、空気処理装置（１）。
【請求項１４】
制御デバイス（２５）によって実施される、再生部（１８）を有する空気処理ロータ（２）を備えた空気処理装置（１）の制御方法であって、
前記空気処理装置（１）は更に、空気処理装置（１）の空気処理ロータ（２）の再生部（１８）のための仕切りデバイス（６）を備えており、
前記仕切りデバイス（６）は、
第１のカバー面積（４４）を有する少なくとも１つの第１の仕切り部材（３１）と、
再生空気流（２２）のための入口開口（４６）及び出口開口（４８）と、
前記再生部（１８）の面積及び形状を調節するために前記少なくとも１つの第１の仕切り部材（３１）又は前記少なくとも１つの第１の仕切り部材（３１）の一部を前記空気処理ロータ（２）の中心軸（８）に対して移動させると共に位置決めする作動部材（２９）と、を備え、
前記制御デバイス（２５）は、前記空気処理装置（１）内に備えられており、
前記方法は、
プロセス空気の湿度を確認すること（ｓ１０１）と、
前記確認された前記プロセス空気の湿度を前記湿度の基準値と比較すること（ｓ１０２）と、
前記プロセス空気の前記湿度と前記湿度の前記基準値との間の差が最小化されるように前記少なくとも１つの第１の仕切り部材（３１）を用いて前記再生部（１８）の前記面積及び形状を調節すること（ｓ１０３）と、
を含む、方法。
【請求項１５】
前記プロセス空気の前記湿度と前記湿度の前記基準値との間の前記差を最小化するために前記再生部（１８）の前記面積及び形状を調節すること（ｓ１０３）は、前記少なくとも１つの第１の仕切り部材（３１）又は前記少なくとも１つの第１の仕切り部材（３１）の一部を前記空気処理ロータ（２）の中心軸（８）に対して移動させるように前記作動部材（２９）を制御すること（ｓ１０４）を含む、請求項１４に記載の方法。
【請求項１６】
前記プロセス空気の前記湿度と前記湿度の前記基準値との間の前記差を最小化するために前記プロセス空気流（１２）の流速を調節すること（ｓ１０５）を更に含む、請求項１４又は１５に記載の方法。
【請求項１７】
前記プロセス空気の前記湿度と前記湿度の前記基準値との間の前記差を最小化するために前記再生空気流（２２）の熱を調節すること（ｓ１０６）を更に含む、請求項１４から１６のいずれか一項に記載の方法。
【請求項１８】
前記プロセス空気の前記湿度と前記湿度の前記基準値との間の前記差を最小化するために前記再生空気流（２２）の流速を調節すること（ｓ１０７）を更に含む、請求項１４から１７のいずれか一項に記載の方法。
【請求項１９】
外部データソースからエネルギ価格及び／又は外部加熱システム（２７）において利用可能な温度についての情報を受信すること（ｓ１０８）と、
前記プロセス空気の前記湿度と前記湿度の前記基準値との間の前記差を最小化するために、前記再生空気流（２２）の前記熱を調節すること（ｓ１０６）及び／又は前記再生空気流（２２）の前記流速を調節すること（ｓ１０７）と、
を更に含む、請求項１７から１８に記載の方法。
【請求項２０】
コンピュータ（２５、５００）によって前記プログラムが実行されたときに、前記コンピュータ（２５、５００）に請求項１４から１９のいずれか一項に記載の方法を行わせる命令を備える、コンピュータプログラム（Ｐ）。
【請求項２１】
コンピュータ（２５、５００）によって実行されたときに、前記コンピュータ（２５、５００）に請求項１４から１９のいずれか一項に記載の方法を行わせる命令を備える、コンピュータ可読媒体。
【発明の詳細な説明】
【技術分野】
【０００１】
本発明は、添付の特許請求の範囲に記載された、仕切りデバイス、空気処理装置、及び制御デバイスによって実施される空気処理装置の制御方法に関する。本発明は、添付の特許請求の範囲に記載されたコンピュータプログラム製品及びコンピュータ可読媒体にも関する。
【背景技術】
【０００２】
空気処理のためのロータは、デシカント除湿器、熱交換器、又はＶＯＣ削減など、様々な用途に使用され得る。ロータは、そのロータがどの用途で使用されるのかに応じて、様々な材料で作製され得る。ロータには、空気が通過するべき複数の流路が設けられていてもよい。デシカント除湿器内に配置されるロータはデシカントロータであってもよく、これはロータを通過する空気から水分を除去し得る。熱交換器内に配置されるロータは回転可能なラジエータであってもよく、これはロータを通過する空気を加熱又は冷却し得る。ＶＯＣ削減のためのロータは、アンモニアやエタノールなど、特定の揮発性有機化合物を捕捉するように設計された分子ふるいを使用していてもよい。ロータは中心軸を有していてもよく、それを中心にロータが回転可能であってもよい。
【０００３】
デシカント除湿器は、空気から水分を除去するのに特によく適している。デシカント除湿器のデシカントロータは、除湿器の吸着除湿コンポーネントであってもよい。デシカントロータは、複合材料で作製されると共に多数の小さな空気流路を用いて設計されていてもよい。複合材料のコアには、水蒸気の吸引及び保持に非常に有効であり得るデシカント材を含浸させてもよい。
【０００４】
デシカントロータはプロセス部及び再生部という２つの部分に分割され得る。除湿対象の気流であるプロセス空気は、デシカントロータのプロセス部を通過し、乾燥空気としてロータを離れ得る。同時に、加熱され得る別の空気流が再生部を通って反対方向で流れ、その間ずっと、デシカントロータは縦軸周りにゆっくりと回転し得る。空気がプロセス部を通って流れるにつれ、デシカントロータのコアのデシカント材は、空気から水分を抽出し得る。こうして処理された空気は、除湿された状態で包囲空間（enclosed space）に戻され得る。デシカント材は、デシカントロータの再生部を通って流れ得る加熱された空気流によって更生されてもよい。
【０００５】
デシカント除湿器における湿度制御技術は、空気から水蒸気を除去するための蒸気圧の差に依拠するであろう。湿潤空気は比較的高い水蒸気圧を有し得る。対照的に、デシカントロータの乾燥したデシカント表面は低い水蒸気圧を有し得る。湿った空気がデシカント表面に接触すると、水分子は、差圧を等しくしようと、湿潤空気からデシカント表面へ移動し得る。その結果、湿潤空気は乾燥される。
【０００６】
熱交換器においては、空気の所望の処理に応じて、回転可能なラジエータが加熱又は冷却され得る。空気が加熱されるべきであれば、ロータの一部が加熱されるであろう。空気が冷却されるべきであれば、ロータのその一部は冷却されるであろう。加熱又は冷却される部分は、包囲空間内の空気を加熱又は冷却するために用いられ得る。
【０００７】
空気の除湿プロセスは、デシカント除湿器内のデシカントロータが、デシカントロータの再生部を通って流れ得る加熱された空気流によって効果的に更生される場合に、有効になるであろう。また、熱交換プロセスは、熱交換器内の回転可能なラジエータが、加熱又は冷却される空気のためにより多く及びより少なく露出され得る場合に、有効になるであろう。
【０００８】
空気処理システムは、通常、気流と、加熱と、湿度、温度又はＶＯＣ含量を含む状態の所望の変化とに関して、特定の動作時点のために設計されると共にそれに最適化される。通常、これはトレードオフに繋がる。プロセス空気にロータの利用可能な表面積の大部分を確保することは、再生セクタがより小さくなる、典型的には９０°のセクタになるであろうことを意味し、したがって、完全な更生を達成するためには高温が必要となる。他の場合には、システムは、地域熱のような低温熱で更生されるように最適化される。すると、より大きな、最大で１８０°の更生セクタが必要となるので、プロセス空気セクタに残される面積はより小さくなり、これはより低い流量能力及び／又はより高い圧力低下を意味する。
【０００９】
経済的に最適な設計点は、エネルギ価格（電気及び低温熱源）、水分負荷、必要な気流などの動作因子に応じて決まり、これらはいずれも経時的に変化し得る。システム設計者は、複数のシナリオを検討し、数年の間、可能な限り長い稼働時間にわたって最高の性能を提供する構成を選択しなければならない。困難なのは、すべての因子が完全にはわかっていないこと、実際のエネルギ価格は変化し得ること、及びシステム利用も設計段階において述べられたものから逸脱し得ることである。
【００１０】
空気処理設備の性能を向上させるために、様々なシステム及び方法が知られている。国際公開第ＷＯ２０１３／０３８４２８Ａ１号は、固体デシカント除湿器を制御するための装置及び方法を開示している。
【発明の概要】
【発明が解決しようとする課題】
【００１１】
しかしながら、改良された空気処理装置及び空気処理装置の制御方法を開発する必要がある。また、再生部の面積及び形状を調節できる必要もある。
【００１２】
よって、本発明の目的は、空気処理装置と、変化する条件下であっても最適な動作を可能にする空気処理装置の制御方法と、を開発することであろう。
【００１３】
また、本発明のもう１つの目的は、再生部の面積及び形状を調節できることであろう。
【００１４】
これらの目的は、添付の特許請求の範囲に記載された、上述の仕切りデバイス、空気処理装置、及び制御デバイスによって実施される空気処理装置の制御方法によって達成され得る。
【課題を解決するための手段】
【００１５】
本発明によれば、空気処理装置の空気処理ロータの再生部のための仕切りデバイスは、第１のカバー面積を有する少なくとも１つの第１の仕切り部材と、再生空気流のための入口開口及び出口開口と、再生部の面積及び形状を調節するために少なくとも１つの第１の仕切り部材又は少なくとも１つの第１の仕切り部材の一部を空気処理ロータの中心軸に対して移動させると共に位置決めする作動部材と、を備えている。そのような空気処理装置は、変化する条件下であっても最適な動作を可能にする。
【００１６】
空気処理装置の空気処理ロータは、プロセス部及び再生部という２つの部分に分割され得る。プロセス空気の気流は、空気処理ロータのプロセス部を通過し、処理済みの空気としてロータを離れ得る。空気は、空気処理ロータを通過するときに空気中の湿度、温度、及び純化が変更されるように処理され得る。同時に、加熱され得る別の空気流が反対方向で再生部を通って流れ、その間ずっと空気処理ロータは縦軸を中心としてゆっくりと回転し得る。
【００１７】
一例として、空気処理装置が空気処理ロータとしてデシカントロータを備えるデシカント除湿器である場合、プロセス空気はデシカントロータのプロセス部を通って流れ、デシカントロータのコアのデシカント材が空気から水分を抽出するであろう。こうして処理された空気は、除湿された状態で、建物内の空間など、包囲空間に戻され得る。デシカント材は、デシカントロータの再生部を通って流れ得る加熱された空気流によって再生されてもよい。
【００１８】
空気処理ロータに進入する前のプロセス空気の状態と、プロセス空気が空気処理ロータを通過した後のプロセス空気の予期される条件と、に応じて、空気処理ロータの再生プロセスは異なり得ると共に変化し得る。よって、本発明によれば、再生部は仕切りデバイスを備え得る。少なくとも１つの第１の仕切り部材は、第１のカバー面積と、再生空気流のための入口開口及び出口開口と、を備えていてもよい。第１の仕切り部材の第１のカバー面積は空気処理ロータの一部を覆い得る。空気処理ロータの覆われた面積は、空気処理ロータの再生部として定義され得る。再生空気流は、第１の仕切り部材によって定義される再生部に入口開口を通って進入し、空気処理ロータを通過し、出口開口を通って再生部を離れる。空気処理ロータの再生プロセスは異なり得ると共に変化し得るので、作動部材は、再生部の面積及び形状を調節するために、少なくとも１つの第１の仕切り部材又は少なくとも１つの第１の仕切り部材の一部を空気処理ロータの中心軸に対して移動させると共に位置決めするように構成されている。再生部の面積及び形状を調節するとは、再生部の面積の大きさと再生部の形状とを調節することを意味する。大きな面積を有する大きな再生部は、再生空気を受容するための大きな容量及びひいては空気処理ロータを再生するための大きな容量を有し得る。小さな面積を有する小さな再生部は、再生空気を受容するための小さな容量及びひいては空気処理ロータを再生するための小さな容量を有し得る。作動部材は、オペレータによって手動で制御されてもよく、及び／又は、制御デバイスによって制御されてもよい。作動部材は、空気処理ロータの中心軸と一致するシャフトによって、少なくとも１つの第１の仕切り部材に接続されてもよい。したがって、シャフトを回転させることによって、少なくとも１つの第１の仕切り部材又は少なくとも１つの第１の仕切り部材の一部は、再生部の面積及び形状を調節するために、空気処理ロータの中心軸に対して移動されると共に位置決めされ得る。
【００１９】
本発明の一態様によれば、空気処理装置の空気処理ロータの再生部のための仕切りデバイスは、少なくとも１つの第１の仕切り部材と、再生空気流のための入口開口及び出口開口と、再生部の面積及び形状を調節するために少なくとも１つの第１の仕切り部材又は少なくとも１つの第１の仕切り部材の一部を空気処理ロータの中心軸に対して移動させると共に位置決めする作動部材と、を備えており、少なくとも１つの第１の仕切り部材は、再生空気流が空気処理ロータを通って誘導されるように再生部を覆う第１のカバー面積を有する。
【００２０】
第１の仕切り部材は、再生空気流が空気処理ロータを通って誘導されるように再生部を覆う第１のカバー面積を有するので、可変再生部は空気処理ロータのプロセス部から閉鎖及び封止され得る。その結果、加熱された再生空気流は、プロセス空気流に漏れ出さない。第１のカバー面積が、再生空気流が空気処理ロータを通って誘導されるように再生部を覆うと、第１の仕切り部材は可変再生部をもたらし、この再生部は空気処理ロータのプロセス部から閉鎖及び封止される。第１の仕切り部材は、第１の仕切り部材と空気処理ロータとの境界において第１の仕切り部材と空気処理ロータとの間にシーリングを備えるであろう。
【００２１】
本発明の一態様によれば、作動部材は、少なくとも１つの第１の仕切り部材を移動させると共に位置決めする電動モータを備える。電動モータは、オペレータによって、スイッチ又は類似のものを用いて、手動で制御され得る。代替的には又はこれと組み合わせて、電動モータは、制御デバイスによって制御されてもよい。電動モータは、空気処理装置の典型的な動作モード用に再生部の面積及び形状を調節するために、少なくとも１つの第１の仕切り部材又は少なくとも１つの第１の仕切り部材の一部が移動されるべき位置に対応する位置へモータを制御する制御信号を受信し得る。
【００２２】
本発明の一態様によれば、第１の仕切り部材は、空気処理ロータの中心軸を中心として折り畳み可能及び／又は回動可能に配置されるように適合される。再生部が小さな面積を有するべき位置では、第１の仕切りは小さな形状に折り畳まれてもよい。再生部が大きな面積を有するべき位置では、第１の仕切りは大きな形状に広げられてもよい。第１の仕切り部材は、プラスチック又は紙など、折り畳んだり広げたりすることのできる材料で作製され得る。代替的には、第１の仕切り部材は、金属又は硬質プラスチックなどの材料で作製されてもよい。そのような第１の仕切り部材を折り畳んだり広げたりすることは、第１の仕切り部材において１つ又はいくつかのヒンジを用いて達成され得る。仕切り部材を折り畳んだり広げたりすることは、空気処理ロータの中心軸を中心として第１の仕切り部材を回動させることによって達成されてもよい。
【００２３】
本発明の一態様によれば、第１の仕切り部材は、手持ち式の扇子又は折り畳み式の扇子として折り畳み可能に構成される。第１の仕切り部材を手持ち式の扇子として配置することによって、第１の仕切り部材は、折り畳まれた位置では、小さな形状を有し得ると共に空気処理ロータの小さな面積を覆い得る。したがって、再生部は、折り畳まれた位置では小さな面積を有するであろう。仕切り部材を折り畳んだり開いたりすることは、空気処理ロータの中心軸を中心として第１の仕切り部材を回動させることによって達成され得る。これは、手持ち式の扇子又は折り畳み式の扇子を折り畳んだり広げたりするのと類似の動きであろう。空気処理ロータは、手持ち式の扇子の半径と同様の半径を有する円形形状を有していてもよい。折り畳み式の扇子は折り畳み可能に構成されており、そのような折り畳み可能な構成は手持ち式の扇子の折り畳み可能な構成と類似している。
【００２４】
本発明の一態様によれば、少なくとも１つの第２の仕切り部材は第２のカバー面積を有し、この第２のカバー面積は、第１のカバー面積と合わせて、再生部の面積及び形状を調節するように構成されている。再生部が小さな面積を有するべき位置においては、第１及び第２の仕切り部材は、それぞれのカバー面積を合わせて空気処理ロータの小さな面積を覆うように、互いに対して移動され得る。再生部が大きな面積を有するべき位置においては、第１及び第２の仕切り部材は、それぞれのカバー面積を合わせて空気処理ロータの大きな面積を覆うように、互いに対して移動され得る。
【００２５】
本発明の一態様によれば、作動部材は、第１及び第２の仕切り部材の少なくとも一方を互いに対して移動させると共に位置決めする電動モータを備えている。電動モータは、オペレータによって、スイッチ又は類似のものを用いて、手動で制御され得る。代替的には又はこれと組み合わせて、電動モータは、制御デバイスによって制御されてもよい。電動モータは、空気処理装置の典型的な動作モード用に再生部の面積及び形状を調節するために第１及び第２の仕切り部材が移動されるべき位置に対応する位置へモータを制御する制御信号を受信し得る。
【００２６】
本発明の一態様によれば、第１の仕切り部材及び／又は第２の仕切り部材は、空気処理ロータの中心軸を中心として回動可能に配置されるように適合される。これは空気処理ロータの中心軸を中心として第１の仕切り部材を回動させることによって達成され得る。再生部が小さな面積を有するべき位置においては、第１及び第２の仕切り部材は、空気処理ロータの中心軸を中心として回動され得ると共に、それぞれのカバー面積を合わせて空気処理ロータの小さな面積を覆うように互いに対して移動され得る。再生部が大きな面積を有するべき位置においては、第１及び第２の仕切り部材は、空気処理ロータの中心軸を中心として回動され得ると共に、それぞれのカバー面積を合わせて空気処理ロータの大きな面積を覆うように互いに対して移動され得る。したがって、再生部の面積及び形状を調節するために第１及び／又は第２の仕切り部材を移動させることは、第１及び／又は第２の仕切り部材を空気処理ロータの中心軸を中心として回動させることによって達成され得る。
【００２７】
本発明の一態様によれば、第１の仕切り部材は第１の扇形の形状を有し、第２の仕切り部材は第２の扇形の形状を有する。再生部が小さな面積を有するべき位置においては、第１及び第２の仕切り部材は、それぞれのカバー面積が大きく重なると共に合わせて空気処理ロータの小さな面積を覆うように、互いに対して移動され得る。再生部が大きな面積を有するべき位置においては、第１及び第２の仕切り部材は、それぞれのカバー面積が小さく重なると共に合わせて空気処理ロータの大きな面積を覆うように、互いに対して移動され得る。空気処理ロータは、第１及び第２の仕切り部材の半径と同様の半径を有する円形形状を有していてもよい。
【００２８】
本発明の一態様によれば、第１の仕切り部材の第１の扇形は第１の半径を有し、この第１の半径は第２の仕切り部材の第２の扇形の第２の半径よりも小さい。第１及び第２の仕切り部材は、それぞれのカバー面積が互いに重なると共に合わせて空気処理ロータの面積を覆うように互いに対して移動されてもよく、この面積は再生部の面積に対応する。第１の仕切り部材が第２の仕切り部材の第２の扇形の第２の半径よりも小さい第１の半径を有する場合、第１及び第２の仕切り部材が空気処理ロータの両側に配置され、第１及び第２の仕切り部材のそれぞれが周辺接続部材を用いて接続されていれば、第２の仕切り部材は第１の仕切り部材を取り囲み又は収容し得る。
【００２９】
本発明の一態様によれば、再生空気流のための入口開口及び出口開口は、空気処理ロータの中心軸と実質的に平行になるように適合された法線を有する平面内に配向される。再生気流のための入口開口及び出口開口のそのような配向は、再生空気流を、空気処理ロータを通って有効に誘導し導き得る。再生空気流は、入口開口及び出口開口の両方と空気処理ロータとを実質的に直線方向で通過し得る。
【００３０】
本発明の一態様によれば、再生空気流のための入口開口及び出口開口は、空気処理ロータの中心軸と実質的に平行になるように適合された平面内に配向される。再生空気流のための入口開口及び出口開口のそのような配向は、再生空気流を、入口開口から空気処理ロータを通って更に出口開口へ、様々な方向で誘導し導き得る。再生空気流は、入口開口を通過し、更にＵ字形で出口開口を通って外に出てもよい。
【００３１】
本発明の一態様によれば、再生空気流のための入口開口及び出口開口は、空気処理ロータの周囲に対応した曲率を有する。再生空気流のための入口開口及び出口開口のそのような配向は、再生気流を、空気処理ロータの中心に向かう方向で誘導し導き得る。したがって、再生空気流のための入口開口及び出口開口は、空気処理ロータの周囲に沿って配置され得る。しかしながら、再生空気流が空気処理ロータの中心に到達する前に、再生空気流のほとんどは方向を変えて空気処理ロータを通過するであろう。再生空気流が空気処理ロータを通過した後、再生空気流は再び方向を変えて、空気処理ロータの周囲に配置された出口開口から流出する。
【００３２】
本発明の一態様によれば、再生空気流のための入口開口及び出口開口は空気処理ロータを取り囲む円形外壁に配置され、その入口開口及び出口開口は空気処理ロータの周囲に対応した曲率を有する。したがって、再生空気流のための入口開口及び出口開口は、空気処理ロータの周囲に沿って配置され得る。再生空気流のための入口開口及び出口開口のそのような配向は、再生気流を、空気処理ロータの中心に向かう方向で誘導し導き得る。
【００３３】
本発明の一態様によれば、空気処理装置は再生部を有する空気処理ロータを備えており、空気処理装置は更に仕切りデバイスを備えている。
【００３４】
空気処理装置は空気処理ロータを備え、この空気処理ロータはプロセス部及び再生部という２つの部分に分割され得る。プロセス空気の気流は、空気処理ロータのプロセス部を通過し、処理済みの空気としてロータを離れ得る。同時に、加熱され得る別の空気流が反対方向で再生部を通って流れ、その間ずっと空気処理ロータは縦軸を中心としてゆっくりと回転し得る。空気処理ロータに進入する前のプロセス空気の状態と、プロセス空気が空気処理ロータを通過した後のプロセス空気の予期される条件と、に応じて、空気処理ロータの再生プロセスは異なり得ると共に変化し得る。よって、本発明によれば、再生部は仕切りデバイスを備え得る。
【００３５】
本発明の一態様によれば、制御デバイスによって実施される、本明細書に開示される空気処理装置の制御方法が提供される。空気処理装置は再生部を有する空気処理ロータを備えており、空気処理装置は更に空気処理装置の空気処理ロータの再生部のための仕切りデバイスを備えており、仕切りデバイスは、第１のカバー面積を有する少なくとも１つの第１の仕切り部材と、再生空気流のための入口開口及び出口開口と、再生部の面積及び形状を調節するために少なくとも１つの第１の仕切り部材又は少なくとも１つの第１の仕切り部材の一部を空気処理ロータの中心軸に対して移動させると共に位置決めする作動部材と、を備えており、制御デバイスは空気処理装置内に備えられている。方法は、プロセス空気の湿度を確認するステップと、確認されたプロセス空気の湿度を湿度の基準値と比較するステップと、プロセス空気の湿度と湿度の基準値との間の差が最小化されるように少なくとも１つの第１の仕切り部材を用いて再生部の面積及び形状を調節するステップと、を備える。
【００３６】
プロセス空気の湿度は、プロセス空気流が空気処理ロータを通過した後のプロセス空気流中に配置された湿度センサを用いて確認され得る。また、湿度センサは、本発明の方法を用いて空気が処理される閉じた空間内に配置されてもよい。したがって、閉じた空間内の空気の湿度はセンサによって確認され得る。プロセス空気の湿度が確認されると、確認されたプロセス空気の湿度は、湿度の基準値と比較される。湿度の基準値は所定の値であってもよい。確認されたプロセス空気の湿度と湿度の基準値との間に差がある場合には、プロセス空気の湿度と湿度の基準値との間の差が最小化されるように、再生部の面積及び形状が、少なくとも１つの第１の仕切り部材を用いて調節され得る。
【００３７】
本発明の一態様によれば、制御デバイスによって実施される、本明細書に開示される空気処理装置の制御方法が提供される。空気処理装置は再生部を有する空気処理ロータを備えており、空気処理装置は更に空気処理装置の空気処理ロータの再生部のための仕切りデバイスを備えており、仕切りデバイスは、少なくとも１つの第１の仕切り部材と、再生空気流のための入口開口及び出口開口と、再生部の面積及び形状を調節するために少なくとも１つの第１の仕切り部材又は少なくとも１つの第１の仕切り部材の一部を空気処理ロータの中心軸に対して移動させると共に位置決めする作動部材と、を備えており、少なくとも１つの第１の仕切り部材は、再生空気流が空気処理ロータを通って誘導されるように再生部を覆う第１のカバー面積を有し、制御デバイスは空気処理装置内に備えられている。方法は、プロセス空気の湿度を確認するステップと、確認されたプロセス空気の湿度を湿度の基準値と比較するステップと、プロセス空気の湿度と湿度の基準値との間の差が最小化されるように少なくとも１つの第１の仕切り部材を用いて再生部の面積及び形状を調節するステップと、を備える。
【００３８】
本発明の方法の一態様によれば、プロセス空気の湿度と湿度の基準値との間の差を最小化するために再生部の面積及び形状を調節するステップは、少なくとも１つの第１の仕切り部材又は少なくとも１つの第１の仕切り部材の一部を空気処理ロータの中心軸に対して移動させるように作動部材を制御することを備える。
【００３９】
空気処理ロータに進入する前のプロセス空気の状態と、プロセス空気が空気処理ロータを通過した後のプロセス空気の予期される条件と、に応じて、空気処理ロータの再生プロセスは異なり得ると共に変化し得る。よって、本発明によれば、再生部は仕切りデバイスを備え得る。空気処理ロータの再生プロセスは異なり得ると共に変化し得るので、作動部材は、再生部の面積及び形状を調節するために、少なくとも１つの第１の仕切り部材又は少なくとも１つの第１の仕切り部材の一部を空気処理ロータの中心軸に対して移動させると共に位置決めするように構成されている。大きな面積を有する大きな再生部は、再生空気を受容するための大きな容量及びひいては空気処理ロータを再生するための大きな容量を有し得る。小さな面積を有する小さな再生部は、再生空気を受容するための小さな容量及びひいては空気処理ロータを再生するための小さな容量を有し得る。作動部材は制御デバイスによって制御されてもよい。作動部材は、追加的又は代替的には、オペレータによって手動で制御されてもよい。したがって、少なくとも１つの第１の仕切り部材又は少なくとも１つの第１の仕切り部材の一部は、再生部の面積及び形状を調節するために、空気処理ロータの中心軸に対して移動されると共に位置決めされ得る。
【００４０】
空気処理装置は、制御デバイスに接続された１つ又はいくつかのセンサを備えていてもよい。センサは、プロセス空気及び／又は反応空気及び／又は空気処理装置を用いて処理される空間内の空気の湿度を検出し得る。センサは更に、プロセス空気及び／又は反応空気及び／又は空気処理装置を用いて処理される空間内の空気の温度を検出し得る。センサは更に、プロセス空気の流速及び／又は反応空気流の流速及び／又は空気処理装置を用いて処理される空間内の空気を検出し得る。したがって、空気処理装置は、湿度を検出し得るセンサ、温度センサ、及び／又は流速センサを備え得る。これらのセンサは、制御ユニットに接続されてもよく、制御ユニットに湿度、温度、及び／又は流速についての情報を提供する。制御ユニットは、建物管理システムなどの外部データソースからも、電気エネルギの現在の価格又は地域加熱システムにおいて現在利用可能な温度についての情報を受信し得る。制御ユニットは、空気処理システムにおけるプロセス空気の状態の所望の変化を得るために最も好ましいレシピを計算するアルゴリズムを有し得る。
【００４１】
本発明の一態様によれば、方法は更に、プロセス空気の湿度と湿度の基準値との間の差を最小化するためにプロセス空気流の流速を調節するステップを備え得る。プロセス空気の流速は、確認されたプロセス空気の湿度と湿度の基準値との間の差の値に応じて増加又は低減され得る。しかしながら、プロセス空気流の流速は、再生部の面積及び形状に応じて調節されてもよい。
【００４２】
本発明の一態様によれば、方法は更に、プロセス空気の湿度と湿度の基準値との間の差を最小化するために再生空気流の熱を調節するステップを備え得る。再生流の熱は、再生部の面積及び形状に応じて決まるであろう。また、再生流の熱は、空気処理ロータを通るプロセス空気流の流速に応じて決まるであろう。
【００４３】
本発明の一態様によれば、方法は更に、プロセス空気の湿度と湿度の基準値との間の差を最小化するために再生空気流の流速を調節するステップを備え得る。再生空気流の流速は、空気処理ロータの再生プロセスに影響を及ぼし得る。再生流の流速は、再生部の面積及び形状に応じて決まるであろう。また、再生空気流の流速は、空気処理ロータを通るプロセス空気流の流速に応じて決まるであろう。また、再生空気流の流速は、再生空気流の熱に応じて決まるであろう。
【００４４】
本発明の一態様によれば、方法は更に、外部データソースからエネルギ価格及び／又は外部加熱システムにおいて利用可能な温度についての情報を受信するステップと、プロセス空気の湿度と湿度の基準値との間の差を最小化するために、再生空気流の熱を調節する及び／又は再生空気流の流速を調節するステップと、を備え得る。再生空気流の熱は、地域加熱システムのような外部加熱システムから生成され得る。建物管理システムなどの外部データソースは、電気エネルギの現在の価格について又は外部加熱システムにおいて現在利用可能な温度についての情報を有する。空気処理システムにおけるプロセス空気の状態の所望の変化を得るために最も好ましいレシピを計算するアルゴリズムが用いられてもよい。
【００４５】
上述した目的は、コンピュータによってプログラムが実行されたときにコンピュータに方法を行わせる命令を備えるコンピュータプログラムによっても達成される。上述した目的は、コンピュータによって実行されたときにコンピュータに方法を行わせる命令を備えるコンピュータ可読媒体によっても達成される。
【００４６】
本発明の更なる目的、利点、及び新規な特徴は、当業者には、以下の詳細な説明及び本発明の実施を通じて明らかになるであろう。本発明を後述するが、本発明は具体的に記載された詳細に限定されなくてもよいことが明らかとなるはずである。本明細書における教示へのアクセスを有する当業者であれば、追加的な用途、修正及び他の分野における組み込みを認識するであろう。それらは本発明の範囲内にある。
【図面の簡単な説明】
【００４７】
以下は、好適な実施形態を、例として、添付の図面を参照して説明するものである。
【００４８】
【図１】一実施形態による空気処理装置を概略的に示す。
【図２ａ】一実施形態による空気処理ロータの再生部のための仕切りデバイスを概略的に示す。
【図２ｂ】一実施形態による空気処理ロータの再生部のための仕切りデバイスを概略的に示す。
【図２ｃ】一実施形態による空気処理ロータの再生部のための仕切りデバイスを概略的に示す。
【図３】図２ａの空気処理ロータの再生部のための仕切りデバイスの側面図を概略的に示す。
【図４ａ】一実施形態による空気処理ロータの再生部のための仕切りデバイスを概略的に示す。
【図４ｂ】一実施形態による空気処理ロータの再生部のための仕切りデバイスを概略的に示す。
【図４ｃ】一実施形態による空気処理ロータの再生部のための仕切りデバイスを概略的に示す。
【図５ａ】一実施形態による空気処理ロータの再生部のための仕切りデバイスを概略的に示す。
【図５ｂ】一実施形態による空気処理ロータの再生部のための仕切りデバイスを概略的に示す。
【図５ｃ】一実施形態による空気処理ロータの再生部のための仕切りデバイスを概略的に示す。
【図６ａ】一実施形態による空気処理ロータの再生部のための仕切りデバイスを概略的に示す。
【図６ｂ】一実施形態による空気処理ロータの再生部のための仕切りデバイスを概略的に示す。
【図６ｃ】一実施形態による空気処理ロータの再生部のための仕切りデバイスを概略的に示す。
【図７】一実施形態による、制御デバイスによって実施される空気処理装置の制御方法のフローチャートを示す。
【図８】あるバージョンのデバイスの図式を概略的に示す。
【発明を実施するための形態】
【００４９】
図１は、一実施形態による空気処理装置１を概略的に示す。空気処理装置１は空気処理ロータ２を備えており、これはデシカント除湿器３用のデシカントロータ２、熱交換器４内の回転可能なラジエータ２、又はＶＯＣ削減のためのロータであってもよい。トランスミッションを介してロータ２を回転させるために、駆動モータ１０が配置されてもよい。プロセス空気流１２の流れが、ロータ２内に配置された多数の流路１４を通過してもよい。流路１４は、ロータ２の一方の側から他方の側へ延伸していてもよい。流路１４は、ロータ２の中心軸８と平行であってもよい。プロセス空気流１２の流れは、一方向又は両方向で流路１４を通過してもよい。デシカント除湿器３用のデシカントロータ２は、デシカントロータ２の流路１４を通過し得るプロセス空気流１２中の水を減少させることによってプロセス空気流１２を処理するように適合されてもよい。熱交換器４内の回転可能なラジエータ２は、回転可能なラジエータ２を通過し得るプロセス空気流１２を加熱又は冷却することによってプロセス空気流１２を処理するように適合されてもよい。
【００５０】
仕切りデバイス６が空気処理ロータ２の再生部１８を定義する。再生部１８は、空気処理ロータの残りの部分から分離されている。ロータ２の残りの部分はプロセス部２０を定義してもよい。熱交換器４においては、ロータ２の再生部１８は、プロセス空気流１２の所望の処理に応じて、加熱又は冷却されてもよい。プロセス空気流１２が加熱されるべき場合には、ロータ２の再生部１８は加熱され得る。プロセス空気流１２が冷却されるべき場合には、ロータ２の再生部１８は冷却され得る。ロータ２の再生部１８は、再生空気流２２を用いて加熱又は冷却されてもよい。
【００５１】
デシカント除湿器３においては、除湿対象のプロセス空気流１２は、デシカントロータ２内の流路１４を通って流れることができる。同時に、加熱された再生空気流２２が、対向流でロータ２の再生部１８を通過することができる。
【００５２】
再生空気流２２はロータ２が水分を放出するようにデシカントロータ２の温度を高め、するとその水分は再生空気流２２によって運び去られる。ロータ２内の乾燥されたデシカント材は、プロセス部２０内へと回転され、そこで再びプロセス空気流１２からの水分を吸収する。
【００５３】
包囲空間からプロセス空気流１２を引き出してデシカントロータ２のプロセス部２０を通って流れさせ、それによってプロセス空気流１２から水分を除去するために、第１のブロワ２４が配置される。除湿されたプロセス空気流１２を包囲空間内へ排気するために、プロセス空気流１２の出口はデシカントロータ２のプロセス部２０の下流に位置している。再生空気流２２は包囲空間の外部から引き入れられ、ヒータ２６で加熱される。ヒータ２６には、加熱された空気又は加熱された水など、加熱された流体が提供されてもよい。加熱された流体は、空気処理装置１から離れた地域加熱システム又はプロセスプラントなどの外部加熱システム２７から発せられてもよい。したがって、熱はプロセスプラント２７からの残留熱であってもよい。再生部１８に溜まった水分をそこから再生空気流２２中に放出させるべく、包囲空間の外部から再生空気流２２を引き入れると共にデシカントロータ２の再生部１８を通って流れさせるために、第２のブロワ２８が配置されてもよい。湿った再生空気流２２を包囲空間の外部に排気するために、再生空気の出口３０は、デシカントロータ２の再生部１８の下流に位置している。
【００５４】
再生部１８の面積及び形状の調節を可能にするために、仕切りデバイス６は作動部材２９を備えており、この作動部材は、第１の仕切り部材３１又は第１の仕切り部材３１の一部を空気処理ロータ２の中心軸８に対して移動させると共に位置決めする電動モータ２９であってもよい。電動モータ２９は、空気処理ロータ２の中心軸８と一致するシャフト３３を用いて第１の仕切り部材３１に接続されてもよい。シャフト３３を回転させることによって、第１の仕切り部材３１又は第１の仕切り部材３１の一部は、再生部１８の面積及び形状を調節するべく、空気処理ロータ２の中心軸８に対して移動されると共に位置決めされ得る。電動モータ２９は、制御デバイス２５及び／又はコンピュータに接続されると共にこれによって制御されてもよい。制御デバイス２５は、コンピュータによってプログラムが実行されるときの命令を備えるコンピュータプログラムＰを備えていてもよい。制御デバイス２５はメモリＭも備え得る。仕切りデバイス６は、第１の仕切り部材３１と合わせて再生部１８の面積の大きさ及び再生部１８の形状を調節するように構成された第２の仕切り部材３５も備えていてもよい。電動モータ２９は、シャフト３３によって第１の仕切り部材３１及び／又は第２の仕切り部材３５に接続されてもよい。
【００５５】
制御デバイス２５は、プロセス空気の湿度を確認することと、確認されたプロセス空気の湿度を湿度の基準値と比較することと、プロセス空気の湿度と湿度の基準値との間の差が最小化されるように、再生部１８の面積及び形状を、第１の仕切り部材３１及び／又は第２の仕切り部材３５を用いて調節することと、によって空気処理装置１を制御するように構成されてもよい。
【００５６】
空気処理装置１は、制御デバイス２５に接続された１つ又はいくつかのセンサ３６，３８，４０を備えていてもよい。センサは、湿度センサ３６、温度センサ３８、及び／又は流速センサ４０であってもよい。これらのセンサ３６，３８，４０は、制御デバイス２５に接続されてもよく、制御デバイス２５に湿度、温度、及び／又は流速についての情報を提供する。制御デバイス２５に接続されたバルブ４２は、ヒータ２６内の熱を調節するように構成されていてもよい。第１及び第２のブロワ２４，２８は制御デバイス２５に接続されてもよい。制御デバイス２５は、プロセス空気流１２及び再生空気流２２の流速を制御するように構成されていてもよい。制御デバイス２５は駆動モータ１０に接続されてもよい。制御デバイス２５は、駆動モータ１０を制御することによって空気処理ロータ２の回転速度を制御するように構成されていてもよい。
【００５７】
図２ａから図２ｃは、一実施形態による空気処理ロータ２の再生部１８のための仕切りデバイス６を概略的に示す。仕切りデバイス６は、第１のカバー面積４４を有する第１の仕切り部材３１を備えている。再生空気流２２のために、入口開口４６及び出口開口４８が配置されている。第１の仕切り部材３１又は少なくとも１つの第１の仕切り部材３１の一部は、再生部１８の面積及び形状を調節するために、空気処理ロータ２の中心軸８に対して移動されると共に位置決めされ得る。第１の仕切り部材３１は、本実施形態によれば、空気処理ロータ２の中心軸８を中心として折り畳み可能及び／又は回動可能に配置されるように適合される。第１の仕切り部材３１は、手持ち式の扇子として折り畳み可能に構成されてもよい。図２ａにおいては、第１の仕切りは、再生部１８が小さな面積を有するように、小さな形状に折り畳まれている。再生部１８が大きな面積を有するべき位置では、第１の仕切りは大きな形状に広げられてもよい。図２ｂにおいては、再生部１８の面積は、第１の仕切り部材３１を広げて再生部１８の角度αを拡大することによって、増大されている。第１の仕切り部材３１は、プラスチック又は紙など、折り畳んだり広げたりすることのできる材料で作製され得る。代替的には、第１の仕切り部材３１は、金属又は硬質プラスチックなどの材料で作製されてもよい。そのような第１の仕切り部材３１を折り畳んだり広げたりすることは、第１の仕切り部材３１において１つ又はいくつかのヒンジ５０を用いることによって達成され得る。第１の仕切り部材３１を折り畳んだり広げたりすることは、空気処理ロータ２の中心軸８を中心として第１の仕切り部材３１を回動させることによって達成されてもよい。図２ｃにおいては、再生部１８の面積は、第１の仕切り部材３１を広げ、ひいては再生部１８の角度αを更に拡大することによって、更に増大されている。
【００５８】
図３は、図２ａの空気処理ロータ２の再生部１８のための仕切りデバイス６の側面図を概略的に示す。再生空気流２２のための入口開口及び出口開口４６，４８は、空気処理ロータ２の中心軸８と実質的に平行になるように適合された平面内に配向される。再生空気流２２のための入口開口及び出口開口４６，４８のそのような配向は、再生空気流２２を、入口開口４６から空気処理ロータ２を通って更に出口開口４８へ、様々な方向で誘導し導き得る。再生空気流２２は、入口開口４６を通過し、更にＵ字形で出口開口４８を通って外に出てもよい。空気処理ロータ２の周囲にはシーリング要素５２が配置されてもよく、空気処理ロータ２の両側に配置された仕切り部材３１，３５のために接続部材５１が配置されてもよい。シーリング要素５２は、再生空気流２２が、空気処理ロータ２の周囲と接続部材５１との間を通過することを防止し得る。再生空気流２２は、図３に矢印で図示されている。
【００５９】
図４ａから図４ｃは、一実施形態による空気処理ロータ２の再生部１８のための仕切りデバイス６を概略的に示す。第２の仕切り部材３５は第２のカバー面積５４を有しており、この第２のカバー面積５４は、第１の仕切り部材３１の第１のカバー面積４４と合わせて、再生部１８の面積及び形状を調節するように構成されている。第１の仕切り部材３１及び／又は第２の仕切り部材３５は、空気処理ロータ２の中心軸８を中心として回動可能に配置されるように適合される。第１の仕切り部材３１は第１の扇形５６の形状を有していてもよく、第２の仕切り部材３５は第２の扇形５８の形状を有していてもよい。再生部１８が小さな面積を有するべき位置においては、第１及び第２の仕切り部材３１，３５は、それぞれのカバー面積を合わせて空気処理ロータ２の小さな面積を覆うように、互いに対して移動され得る。図４ａにおいては、第１及び第２の仕切り部材３１，３５は、再生部１８が小さな面積を有するように、互いに対して移動されている。再生部１８が小さな面積を有するべき位置においては、第１及び第２の仕切り部材３１，３５のそれぞれのカバー面積は大きく重なると共に合わせて空気処理ロータ２の小さな面積を覆うであろう。再生部１８が大きな面積を有するべき位置においては、第１及び第２の仕切り部材３１，３５は、それぞれのカバー面積を合わせて空気処理ロータ２の大きな面積を覆うように、互いに対して移動され得る。図４ｂにおいては、再生部１８の面積は、第１及び第２の仕切り部材３１，３５を、それぞれのカバー面積を合わせて空気処理ロータ２の大きな面積を覆うように互いに対して移動させることによって、増大されている。再生部１８が大きな面積を有するべき位置においては、それぞれのカバー面積は小さく重なると共に合わせて空気処理ロータ２の大きな面積を覆うであろう。図４ｃにおいては、再生部１８の面積は、第１及び第２の仕切り部材３１，３５を互いに対して移動させることによって、更に増大されている。空気処理ロータ２は、第１及び第２の仕切り部材３１，３５の半径と同様の半径を有する円形形状を有していてもよい。第１の仕切り部材３１の第１の扇形５６は第１の半径を有し、この第１の半径は第２の仕切り部材３５の第２の扇形５８の第２の半径よりも小さい。第１の仕切り部材３１が第２の仕切り部材３５の第２の扇形５８の第２の半径よりも小さい第１の半径を有する場合、第１及び第２の仕切り部材３５が空気処理ロータの両側に配置され、第１及び第２の仕切り部材３５のそれぞれが周辺接続部材５１を用いて接続されていれば、第２の仕切り部材３５は第１の仕切り部材３１を取り囲み又は収容し得る。再生空気流２２のための入口開口及び出口開口４６，４８は、空気処理ロータ２の中心軸８と実質的に平行になるように適合された法線を有する平面内に配向される。再生空気流２２のための入口開口及び出口開口４６，４８のそのような配向は、再生空気流２２を、空気処理ロータ２を通って有効に誘導し導き得る。再生空気流２２は、入口開口及び出口開口４６，４８の両方と空気処理ロータ２とを実質的に直線方向で通過し得る。移動可能なカバー要素６０が中心軸８に配置されてもよい。移動可能なカバー要素６０は、入口開口及び出口開口４６，４８の形状に対応する形状を有し得る。図４ａにおいては、移動可能なカバー要素６０は、入口開口及び出口開口４６，４８が開口状態となることを可能にする第１の位置を有する。図４ｂにおいては、移動可能なカバー要素６０は、仕切り部材のうち一方では入口開口及び出口開口４６，４８が開口状態となることを可能にするが他方の仕切り部材では入口開口及び出口開口４６，４８を覆う、第２の位置を有する。図４ｃにおいては、移動可能なカバー要素６０は、図４ｂと同じ第２の位置を有するが、仕切り部材のうち一方が、再生部１８の面積を更に増大させるために、更に移動されている。移動可能なカバー要素６０は、作動部材２９によって又は移動する仕切り部材３１，３５によって移動され得る。
【００６０】
図５ａから図５ｃは、一実施形態による空気処理ロータ２の再生部１８のための仕切りデバイス６を概略的に示す。仕切りデバイス６のこの実施形態は、図４ａから図４ｃに記載された実施形態に類似している。しかしながら、図５ａから図５ｃに記載された仕切りデバイス６は、空気処理ロータ２の中心軸８と実質的に平行になるように適合された平面内に配向された再生空気流２２のための入口開口及び出口開口４６，４８を有する。再生空気流２２のための入口開口及び出口開口４６，４８のそのような配向は、再生空気流２２を、入口開口４６から空気処理ロータ２を通って更に出口開口４８へ、様々な方向で誘導し導き得る。再生空気流２２は、図３に示されるものと同様、入口開口４６を通過し、更にＵ字形で出口開口４８を通って外に出てもよい。
【００６１】
図６ａから図６ｃは、一実施形態による空気処理ロータ２の再生部１８のための仕切りデバイス６を概略的に示す。再生空気流２２のための入口開口及び出口開口４６，４８は、本実施形態によれば、空気処理ロータ２の周囲に対応した曲率を有する。再生空気流２２のための入口開口及び出口開口４６，４８のそのような配向は、再生気流２２を、空気処理ロータ２の中心に向かう方向で誘導し導き得る。しかしながら、再生空気流２２が空気処理ロータ２の中心に到達する前に、再生空気流２２のほとんどは方向を変えて空気処理ロータ２を通過するであろう。再生空気流２２が空気処理ロータ２を通過した後、再生空気流２２は再び方向を変えて、空気処理ロータ２の周囲に配置された出口開口４８から流出する。第１の仕切り部材３１は第１の扇形５６の形状を有しており、第２の仕切り部材３５は第２の扇形５８の形状を有している。扇形５６，５８はいずれも、空気処理ロータ２からある距離を置いて配置される。各扇形５６，５８には、空気処理ロータ２に向かう方向に延伸する壁部６２が設けられている。円形外壁６４が、空気処理ロータ２を取り囲むと共に、空気処理ロータ２の厚さよりも大きい幅を有する。その結果、第１及び第２の仕切り部材３１，３５と外壁６４とが合わせて、再生部１８の面積及び形状を定義する空間を定義する。再生空気流２２のための入口開口及び出口開口４６，４８は、空気処理ロータ２を取り囲む外壁６４に配置される。再生部１８が小さな面積を有するべき位置においては、第１及び第２の仕切り部材３１，３５は、それぞれのカバー面積４４，５４が大きく重なると共に合わせて空気処理ロータ２の小さな面積を覆うように、互いに対して移動され得る。図６ａにおいては、第１及び第２の仕切り部材３１，３５は、再生部１８が小さな面積を有するように、互いに対して移動されている。外壁には２つの入口開口４６が設けられてもよい。また、外壁には２つの出口開口４８が設けられてもよい（２つの入口開口４６の後ろに隠れているため、図６ａには図示されていない）。第１の仕切り部材３１には周囲カバー要素６６が設けられており、この周囲カバー要素は、空気処理ロータ２の周囲方向で移動可能であり、空気処理ロータ２と外壁６４との間に配置される。図６ａに示される位置に対応する、再生部１８が小さな面積を有するように第１及び第２の仕切り部材３１，３５が互いに対して移動されている位置においては、周囲カバー要素６６は、入口開口４６のうち一方と出口開口４８のうち一方とを覆う。図６ｂにおいては、再生部１８の面積は、第１及び第２の仕切り部材３５を、それぞれのカバー面積を合わせて空気処理ロータ２の大きな面積を覆うように互いに対して移動させることによって、増大されている。この位置では、周囲カバー要素６６は入口開口及び出口開口４６，４８の一部のみを覆い、再生空気流２２はこれらの開口を通過することができる。図４ｃにおいては、再生部１８の面積は、第１及び第２の仕切り部材３１，３５を互いに対して移動させることによって、更に増大されている。この位置では、周囲カバー要素６６は入口開口及び出口開口４６，４８を覆わず、再生空気流２２はこれらの開口４６，４８を通過することができる。
【００６２】
図７は、一実施形態による、制御デバイス２５によって実施される空気処理装置１の制御方法のフローチャートを示す。空気処理装置１は再生部１８を有する空気処理ロータ２を備えており、空気処理装置１は更に、空気処理装置１の空気処理ロータ２の再生部１８のための仕切りデバイス６を備えている。仕切りデバイス６は、第１のカバー面積４４を有する少なくとも１つの第１の仕切り部材３１と、再生空気流２２のための入口開口４６及び出口開口４８と、再生部１８の面積及び形状を調節するために少なくとも１つの第１の仕切り部材３１又は少なくとも１つの第１の仕切り部材３１の一部を空気処理ロータ２の中心軸８に対して移動させると共に位置決めする作動部材２９と、を備えている。制御デバイス２５は空気処理装置１内に備えられている。
【００６３】
方法は、プロセス空気の湿度を確認するステップｓ１０１と、確認されたプロセス空気の湿度を湿度の基準値と比較するステップｓ１０２と、プロセス空気の湿度と湿度の基準値との間の差が最小化されるように少なくとも１つの第１の仕切り部材３１を用いて再生部１８の面積及び形状を調節するステップｓ１０３と、を備える。
【００６４】
一態様によれば、プロセス空気の湿度と湿度の基準値との間の差を最小化するために再生部１８の面積及び形状を調節するステップｓ１０３は、少なくとも１つの第１の仕切り部材３１又は少なくとも１つの第１の仕切り部材３１の一部を空気処理ロータ２の中心軸８に対して移動させるように作動部材２９を制御することを備える。
【００６５】
一態様によれば、方法は更に、プロセス空気の湿度と湿度の基準値との間の差を最小化するためにプロセス空気流１２の流速を調節するステップｓ１０５を備え得る。
【００６６】
一態様によれば、方法は更に、プロセス空気の湿度と湿度の基準値との間の差を最小化するために再生空気流２２の熱を調節するステップｓ１０６を備え得る。
【００６７】
一態様によれば、方法は更に、プロセス空気の湿度と湿度の基準値との間の差を最小化するために再生空気流２２の流速を調節するステップｓ１０７を備え得る。
【００６８】
一態様によれば、方法は更に、外部データソースからエネルギ価格及び／又は外部加熱システム２７において利用可能な温度についての情報を受信するステップｓ１０８と、プロセス空気の湿度と湿度の基準値との間の差を最小化するために、再生空気流２２の熱を調節するステップｓ１０６及び／又は再生空気流２２の流速を調節するステップｓ１０７と、を備え得る。
【００６９】
図８は、あるバージョンのデバイス５００の図式を概略的に示す。図１を参照して説明した制御デバイス２５は、あるバージョンでは、デバイス５００を備えていてもよい。デバイス５００は、不揮発性メモリ５２０と、データ処理ユニット５１０と、読み書きメモリ５５０と、を備えている。不揮発性メモリ５２０は第１のメモリ素子５３０を備えており、その第１のメモリ素子には、デバイス５００の機能を制御するために、コンピュータプログラム、例えばオペレーティングシステムが記憶されている。デバイス５００は更に、バスコントローラと、シリアル通信ポートと、Ｉ／Ｏ手段と、Ａ／Ｄ変換器と、日時入力及び転送ユニットと、イベントカウンタと、割り込みコントローラと、を備えている（図示しない）。不揮発性メモリ５２０は第２のメモリ素子５４０も有している。
【００７０】
上述の方法を実施するための命令を備えるコンピュータプログラムＰが提供される。プログラムＰは、メモリ５６０及び／又は読み書きメモリ５５０に、実行可能な形態又は圧縮された形態で記憶されていてもよい。
【００７１】
データ処理ユニット５１０が特定の機能を実行するものとして記述される場合、それは、データ処理ユニット５１０が、メモリ５６０に記憶されたプログラムの特定の部分又は読み書きメモリ５５０に記憶されたプログラムの特定の部分に影響を与えることを意味する。
【００７２】
データプロセッシングデバイス５１０は、データバス５１５を介してデータポート５９９と通信することができる。不揮発性メモリ５２０は、データバス５１２を介したデータ処理ユニット５１０との通信を意図されている。別個のメモリ５６０は、データバス５１１を介してデータ処理ユニット５１０と通信することを意図されている。読み書きメモリ５５０は、データバス５１４を介してデータ処理ユニット５１０と通信するように適合される。
【００７３】
データポート５９９でデータが受信されると、そのデータは一時的に第２のメモリ素子５４０に記憶される。受信された入力データが一時的に記憶されると、データ処理ユニット５１０は、上述したようにコード実行を実施するように準備される。
【００７４】
本明細に記載された方法の一部は、デバイス５００によって、メモリ５６０又は読み書きメモリ５５０に記憶されたプログラムを実行するデータ処理ユニット５１０を用いて実施され得る。デバイス５００がプログラムを実行すると、本明細書に記載された方法が実行される。
【００７５】
以上の本発明の好適な実施形態の記載は、説明及び便宜的な目的で提供されるものである。網羅的であること又は本発明を記載された変形に限定することは意図されていない。当業者には、多くの修正及びバリエーションが明らかに自明であろう。実施形態は、本発明の原理とその実際の適用について最もよく説明するために選択され記載されたものであり、したがって、専門家が、種々の実施形態について及び意図された使用に適当な種々の修正を加えて本発明を理解できるようにするものである。
【００７６】
なお、実施形態による空気処理装置１は、方法に関連して記載されたステップ又はアクションのいずれをも実施するように配置することが可能である。また、実施形態による方法は、記載された空気処理装置１の特徴に帰せられるアクションのいずれをも更に備えることができることが理解されなければならない。同じことが、コンピュータプログラム製品及びコンピュータ可読媒体にも当てはまる。いかなる種類の空気が処理されてもよい。空気は、いかなる種類の化学物質を含むガス及び粒子を備えていてもよい。
【図１】
2021524801.tif 000003
【図２ａ】
2021524801.tif 000004
【図２ｂ】
2021524801.tif 000005
【図２ｃ】
2021524801.tif 000006
【図３】
2021524801.tif 000007
【図４ａ】
2021524801.tif 000008
【図４ｂ】
2021524801.tif 000009
【図４ｃ】
2021524801.tif 000010
【図５ａ】
2021524801.tif 000011
【図５ｂ】
2021524801.tif 000012
【図５ｃ】
2021524801.tif 000013
【図６ａ】
2021524801.tif 000014
【図６ｂ】
2021524801.tif 000015
【図６ｃ】
2021524801.tif 000016
【図７】
2021524801.tif 000017
【図８】
2021524801.tif 000018
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
デシカント除湿器（１）のデシカントロータ（２）の再生部（１８）のための仕切りデバイス（６）であって、
少なくとも１つの第１の仕切り部材（３１）と、
前記デシカントロータ（２）を更生させる再生空気流（２２）のための入口開口（４６）及び出口開口（４８）と、
前記再生部（１８）の面積及び形状を調節するために前記少なくとも１つの第１の仕切り部材（３１）又は前記少なくとも１つの第１の仕切り部材（３１）の一部を前記デシカントロータ（２）の中心軸（８）に対して回動可能に移動させると共に位置決めする作動部材（２９）と、を備えており、
前記少なくとも１つの第１の仕切り部材（３１）は、前記再生部（１８）を覆う第１のカバー面積（４４）を有すると共に前記デシカントロータ（２）からある距離を置いて配置され、
前記第１の仕切り部材（３１）は、前記デシカントロータ（２）の両側に前記中心軸（８）を中心として折り畳み可能及び回動可能に配置されると共に周辺接続部材（５１）によって接続されるように適合され、又は、
前記仕切りデバイス（６）は、第２の仕切り部材（３５）を更に備え、前記第１の仕切り部材（３１）及び／又は前記第２の仕切り部材（３５）は、前記デシカントロータ（２）の前記中心軸（８）を中心として回動可能に配置されるように適合され、前記第２の仕切り部材（３５）は、前記再生部（１８）を覆う第２のカバー面積（５４）を有すると共に前記デシカントロータ（２）からある距離を置いて配置され、前記第２のカバー面積（５４）は、前記第１のカバー面積（４４）と合わせて前記再生部（１８）の前記面積及び形状を調節するように構成されており、前記第１及び前記第２の仕切り部材（３１，３５）は、前記デシカントロータ（２）の両側に配置されており、前記第１及び第２の仕切り部材（３１，３５）のそれぞれの前記第１及び第２のカバー面積（４４，５４）は、周辺接続部材（５１）によって接続され、前記デシカントロータ（２）と前記第１及び第２のカバー面積（４４，５４）と前記周辺接続部材（５１）との間には、空間が定義される、仕切りデバイス（６）。
【請求項２】
前記作動部材（２９）は、前記少なくとも１つの第１の仕切り部材（３１）を移動させると共に位置決めする電動モータ（２９）を備える、請求項１に記載のデバイス（６）。
【請求項３】
前記第１の仕切り部材（３１）は、前記第１の仕切り部材に少なくとも１つのヒンジを備える手持ち式の扇子として折り畳み可能に構成されており、
前記第１の仕切り部材を前記空気処理ロータの前記中心軸を中心として回動させるときに、前記第１の仕切り部材を折り畳んだり広げたりすることが、前記少なくとも１つのヒンジを用いて達成される、請求項２に記載のデバイス（６）。
【請求項４】
前記作動部材（２９）は、前記第１及び第２の仕切り部材（３１，３５）の少なくとも一方を互いに対して移動させると共に位置決めする電動モータ（２９）を備える、請求項１に記載のデバイス（６）。
【請求項５】
前記第１の仕切り部材（３１）は、第１の扇形（５６）の形状を有しており、
前記第２の仕切り部材（３５）は、第２の扇形（５８）の形状を有している、請求項１又は４に記載のデバイス（６）。
【請求項６】
前記第１の仕切り部材（３１）の前記第１の扇形（５６）は、第１の半径を有し、
前記第１の半径は、前記第２の仕切り部材（３５）の前記第２の扇形（５８）の第２の半径よりも小さい、請求項５に記載のデバイス（６）。
【請求項７】
前記再生空気流（２２）のための前記入口開口及び前記出口開口（４６，４８）は、前記デシカントロータ（２）の中心軸（８）と実質的に平行になるように適合された法線を有する平面内に配向される、請求項１から６のいずれか一項に記載のデバイス（６）。
【請求項８】
前記再生空気流（２２）のための前記入口開口及び前記出口開口（４６，４８）は、前記デシカントロータ（２）の中心軸（８）と実質的に平行になるように適合された平面内に配向される、請求項１から６のいずれか一項に記載のデバイス（６）。
【請求項９】
前記再生空気流（２２）のための前記入口開口及び前記出口開口（４６，４８）は、前記デシカントロータ（２）の周囲に対応した曲率を有する、請求項１から６のいずれか一項に記載のデバイス（６）。
【請求項１０】
再生部（１８）を有するデシカントロータ（２）を備えたデシカント除湿器（１）であって、
請求項１から９のいずれか一項に記載の仕切りデバイス（６）を更に備える、除湿器（１）。
【請求項１１】
制御デバイス（２５）によって実施される、再生部（１８）を有するデシカントロータ（２）を備えたデシカント除湿器（１）の制御方法であって、
前記除湿器（１）は更に、前記再生部（１８）のための仕切りデバイス（６）を備えており、
前記仕切りデバイス（６）は、
少なくとも１つの第１の仕切り部材（３１）と、
前記デシカントロータ（２）を更生させる再生空気流（２２）のための入口開口（４６）及び出口開口（４８）と、
前記再生部（１８）の面積及び形状を調節するために前記少なくとも１つの第１の仕切り部材（３１）又は前記少なくとも１つの第１の仕切り部材（３１）の一部を前記デシカントロータ（２）の中心軸（８）に対して回動可能に移動させると共に位置決めする作動部材（２９）と、を備えており、
前記少なくとも１つの第１の仕切り部材（３１）は、前記再生部（１８）を覆う第１のカバー面積（４４）を有すると共に前記デシカントロータ（２）からある距離を置いて配置され、
前記第１の仕切り部材（３１）は、前記デシカントロータ（２）の両側に前記中心軸（８）を中心として折り畳み可能及び回動可能に配置されると共に周辺接続部材（５１）によって接続されるように適合され、又は、
前記仕切りデバイス（６）は、第２の仕切り部材（３５）を更に備え、前記第１の仕切り部材（３１）及び／又は前記第２の仕切り部材（３５）は、前記デシカントロータ（２）の前記中心軸（８）を中心として回動可能に配置されるように適合され、前記第２の仕切り部材（３５）は、前記再生部（１８）を覆う第２のカバー面積（５４）を有すると共に前記デシカントロータ（２）からある距離を置いて配置され、前記第２のカバー面積（５４）は、前記第１のカバー面積（４４）と合わせて前記再生部（１８）の前記面積及び形状を調節するように構成されており、前記第１及び前記第２の仕切り部材（３１，３５）は、前記デシカントロータ（２）の両側に配置されており、前記第１及び第２の仕切り部材（３１，３５）のそれぞれの前記第１及び第２のカバー面積（４４，５４）は、周辺接続部材（５１）によって接続され、前記デシカントロータ（２）と前記第１及び第２のカバー面積（４４，５４）と前記周辺接続部材（５１）との間には、空間が定義され、
前記制御デバイス（２５）は、前記除湿器（１）内に備えられており、
前記方法は、
プロセス空気の湿度を確認すること（ｓ１０１）と、
前記確認された前記プロセス空気の湿度を前記湿度の基準値と比較すること（ｓ１０２）と、
前記プロセス空気の前記湿度と前記湿度の前記基準値との間の差が最小化されるように、前記少なくとも１つの第１の仕切り部材（３１）を折り畳むこと／広げることによって又は前記第１の仕切り部材（３１）及び前記第２の仕切り部材（３５）を互いに対して移動させることによって、前記再生部（１８）の前記面積及び形状を調節すること（ｓ１０３）と、
を含む、方法。
【請求項１２】
前記プロセス空気の前記湿度と前記湿度の前記基準値との間の前記差を最小化するために前記再生部（１８）の前記面積及び形状を調節すること（ｓ１０３）は、前記少なくとも１つの第１の仕切り部材（３１）又は前記少なくとも１つの第１の仕切り部材（３１）の一部を前記デシカントロータ（２）の中心軸（８）に対して移動させるように前記作動部材（２９）を制御すること（ｓ１０４）を含む、請求項１１に記載の方法。
【請求項１３】
前記プロセス空気の前記湿度と前記湿度の前記基準値との間の前記差を最小化するために前記プロセス空気流（１２）の流速を調節すること（ｓ１０５）を更に含む、請求項１１又は１２に記載の方法。
【請求項１４】
前記プロセス空気の前記湿度と前記湿度の前記基準値との間の前記差を最小化するために前記再生空気流（２２）の熱を調節すること（ｓ１０６）を更に含む、請求項１１から１３のいずれか一項に記載の方法。
【請求項１５】
前記プロセス空気の前記湿度と前記湿度の前記基準値との間の前記差を最小化するために前記再生空気流（２２）の流速を調節すること（ｓ１０７）を更に含む、請求項１１から１４のいずれか一項に記載の方法。
【請求項１６】
外部データソースからエネルギ価格及び／又は外部加熱システム（２７）において利用可能な温度についての情報を受信すること（ｓ１０８）と、
前記プロセス空気の前記湿度と前記湿度の前記基準値との間の前記差を最小化するために、前記再生空気流（２２）の前記熱を調節すること（ｓ１０６）及び／又は前記再生空気流（２２）の前記流速を調節すること（ｓ１０７）と、
を更に含む、請求項１１から１５に記載の方法。
【請求項１７】
コンピュータ（２５、５００）によって前記プログラムが実行されたときに、前記コンピュータ（２５、５００）に請求項１１から１６のいずれか一項に記載の方法を行わせる命令を備える、コンピュータプログラム（Ｐ）。
【請求項１８】
コンピュータ（２５、５００）によって実行されたときに、前記コンピュータ（２５、５００）に請求項１１から１６のいずれか一項に記載の方法を行わせる命令を備える、コンピュータ可読媒体。
【国際調査報告】
2021524801.tif 000019
2021524801.tif 000020
2021524801.tif 000021
2021524801.tif 000022
2021524801.tif 000023